Podtech/llm-jp-corpus-v4-ja_patent huggingface dataset:
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
撮像アレイ製造プロセス方法であって、
半導体撮像素子のアレイを製造することと；
伸縮性相互接続に前記半導体撮像素子を相互接続することと；
少なくとも１つのマイクロレンズを、前記アレイの少なくとも１つの半導体撮像素子の少なくとも一部に亘って、堆積することと；
プリストレインされたエラストマースタンプにより前記アレイを二次非平面表面に転写することと
を有する方法。
【請求項２】
前記半導体は、単結晶半導体である、
請求項１記載の方法。
【請求項３】
前記半導体は、光検出のために使用される非単結晶シリコン材料である、
請求項１記載の方法。
【請求項４】
前記材料は、アモルファスシリコン材料である、
請求項３記載の方法。
【請求項５】
前記材料は、多結晶シリコン材料である、
請求項３記載の方法。
【請求項６】
前記材料は、単結晶シリコン材料である、
請求項３に記載の方法。
【請求項７】
前記材料は、導電性酸化物材料である、
請求項３記載の方法。
【請求項８】
前記材料は、有機材料である、
請求項３記載の方法。
【請求項９】
前記材料は、カーボンナノチューブ材料である、
請求項３記載の方法。
【請求項１０】
前記半導体撮像素子は、少なくとも１つの撮像ピクセルと、前記少なくとも１つの撮像ピクセルから画像を読出し且つこれを制御する支援エレクトロニクスと、を含む、
請求項１記載の方法。
【請求項１１】
光は、前記半導体撮像素子の前面に当たる、
請求項１記載の方法。
【請求項１２】
光は、前記半導体撮像素子の背面に当たる、
請求項１記載の方法。
【請求項１３】
前記半導体撮像素子は、前記半導体撮像素子の背面に転写されたマイクロレンズとカラーフィルタのうち少なくとも１つを有する、
請求項１２記載の方法。
【請求項１４】
前記表面は、加えられる力によって作動される、
請求項１記載の方法。
【請求項１５】
作動された前記表面は、前記表面の曲率を変化させる、
請求項１４記載の方法。
【請求項１６】
前記方法はさらに、湾曲撮像システム撮像装置パッケージングを備え、
前記非平面表面は、前記湾曲撮像システム撮像装置パッケージングの中に装着される、
請求項１記載の方法。
【請求項１７】
前記パッケージングは、チップスケールパッケージングである、
請求項１６記載の方法。
【請求項１８】
前記パッケージングは、ボールグリッドアレイである、
請求項１６記載の方法。
【請求項１９】
前記アレイの製造は、剛性スタックとシリコン・オン・インシュレータ（ＳＯＩ）のうち少なくとも一方の上でなされる、
請求項１記載の方法。
【請求項２０】
前記製造の構造は、シリコン、次にポリメチルメタクリレート（ＰＭＭＡ）、次にポリイミド（ＰＩ）、次にシリコンの積層順序である、
請求項１９記載の方法。
【請求項２１】
前記半導体撮像素子は、カラーフィルタを含む、
請求項１記載の方法。
【請求項２２】
前記カラーフィルタは、カラー画像能力を提供する、
請求項２１記載の方法。
【請求項２３】
前記少なくとも１つのマイクロレンズは、改善された画質を提供する、
請求項１記載の方法。
【請求項２４】
前記半導体撮像素子は、センサアイランドとして配置される、
請求項１記載の方法。
【請求項２５】
前記センサアイランドは、１センサアイランド当たり１ピクセルからなる、
請求項２４記載の方法。
【請求項２６】
前記センサアイランドは、１センサアイランド当たり複数ピクセルからなる、
請求項２４記載の方法。
【請求項２７】
前記センサアイランドは、支援エレクトロニクスを含む、
請求項２４記載の方法。
【請求項２８】
前記撮像アレイは、対称非平面形状に成形される、
請求項１記載の方法。
【請求項２９】
前記形状は、回転放物｛かいてん ほうぶつ｝面体である、
請求項２８記載の方法。
【請求項３０】
前記形状は、半球体である、
請求項２８記載の方法。
【請求項３１】
前記形状は、楕円体である、
請求項２８記載の方法。
【請求項３２】
前記撮像アレイは、カメラモジュールを作るため使用される、
請求項１記載の方法。
【請求項３３】
前記カメラモジュールは、可動台上に少なくとも１つのレンズを備えるレンズバレルと、画像処理及び伝送のための回路と、を含む、
請求項３２記載の方法。
【請求項３４】
前記カメラモジュールは、レンズを含む、
請求項３２記載の方法。
【請求項３５】
前記レンズは、プラスチック成形レンズである、
請求項３４記載の方法。
【請求項３６】
前記レンズの形は、力をかけられることによって変えられる、
請求項３４記載の方法。
【請求項３７】
前記力は、半径方向張力である、
請求項３６記載の方法。
【請求項３８】
前記力は、半径方向圧縮力である、
請求項３６記載の方法。
【請求項３９】
前記撮像アレイは、セキュリティ撮像装置に含まれる、
請求項１記載の方法。
【請求項４０】
前記撮像アレイは、検査撮像装置に含まれる、
請求項１記載の方法。
【請求項４１】
前記撮像アレイは、計測撮像装置に含まれる、
請求項１記載の方法。
【請求項４２】
前記撮像アレイは、宇宙用撮像装置に含まれる、
請求項１記載の方法。
【請求項４３】
前記撮像アレイは、有人車両に含まれる、
請求項１記載の方法。
【請求項４４】
前記撮像アレイは、無人車両に含まれる、
請求項１記載の方法。
【請求項４５】
前記撮像アレイは、内視鏡撮像装置に含まれる、
請求項１記載の方法。
【請求項４６】
撮像アレイ製造プロセス方法であって、
単結晶半導体基板から半導体撮像アイランドのアレイを製造することと；
撮像アイランドを伸縮性インターコネクトに相互接続することと；
少なくとも１つのマイクロレンズを、前記アレイの少なくとも１つの半導体撮像アイランドの少なくとも一部に亘って、堆積することと
を有する方法。
【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
２θ値で９.３、１０.６および１４.４±０.２°２θから選択される３個以上のピークを有するＸ線回折パターンにより特徴付けられる、構造式Ｉ(Ｂ)：
【化１】
2012515150.tif 000001
を有する、４−(７−ヒドロキシ−２−イソプロピル−４−オキソ−４Ｈ−キナゾリン−３−イル)−ベンゾニトリルの結晶形態Ｂ。
【請求項２】
９.３°、１０.６°、１４.４°、１５.５°、１７.９°、１９.９°、２３.４°±０.２°２θから選択される３個以上のピークを有するＸ線回折パターンにより特徴付けられる、請求項１に記載の式Ｉ(Ｂ)の構造を有する４−(７−ヒドロキシ−２−イソプロピル−４−オキソ−４Ｈ−キナゾリン−３−イル)−ベンゾニトリルの結晶形態Ｂ。
【請求項３】
式Ｉ(Ｂ)の化合物を、水と水混和性有機溶媒中のその溶液から結晶化することを含む、請求項１に記載の結晶形態Ｂの式Ｉ(Ｂ)の化合物の製造方法。
【請求項４】
バニロイド受容体活性化が役割を有する、または関与する疾患または状態の処置または予防用医薬の製造のための、請求項１に記載の結晶形態Ｂの式Ｉ(Ｂ)の化合物の使用。
【請求項５】
バニロイド受容体活性化が役割を有するか、または関与する疾患または状態が泌尿生殖器管の疾患である、請求項４に記載の使用。
【請求項６】
泌尿生殖器管の疾患が膀胱排尿筋反射亢進である、請求項５に記載の使用。
【請求項７】
活性成分として、有効量の請求項１に記載の結晶形態Ｂの式Ｉ(Ｂ)の化合物を、場合により薬学的に許容される担体と共に含む、医薬組成物。
【請求項８】
請求項１に記載の結晶形態Ｂの式Ｉ(Ｂ)の化合物を、他の治療的活性成分と組み合わせて、場合により薬学的に許容されるアジュバント、希釈剤または担体と共に含む、医薬組成物。
【手続補正２】
【補正対象書類名】明細書
【補正対象項目名】００８１
【補正方法】変更
【補正の内容】
【００８１】
本発明の薬剤は、ヒトＶＲ１活性化が役割を有する、または関与する、それ故に、ＶＲ１受容体の調節(好ましくは拮抗)による処置に感受性の、疾患および状態の予防および処置に有用である。かかる状態は、炎症要素を伴う慢性疼痛、例えばリウマチ性関節炎；骨および関節疼痛(骨関節症)；手術後疼痛；筋骨格疼痛、例えば線維筋痛症；筋筋膜疼痛症候群；片頭痛、急性または慢性緊張性頭痛、群発性頭痛、側頭下顎疼痛、および上顎洞疼痛を含む頭痛；耳疼痛；会陰切開疼痛；熱傷、および特にそれに関連する一次痛覚過敏；深部および内臓痛、例えば心臓疼痛、筋肉疼痛、眼疼痛、口腔顔面疼痛、腹部疼痛、婦人科疼痛、例えば月経困難症(dysmenorrhoea)、および陣痛；泌尿生殖器管と関連する疼痛、例えば膀胱炎および外陰部痛；炎症性皮膚障害、例えば乾癬および湿疹、または非特異的起源の掻痒；神経傷害および／または神経系に影響する疾患と関連する慢性疼痛、例えばヘルペス後神経痛、糖尿病性ニューロパシー、化学療法誘発ニューロパシー、切断術(“幻肢痛”)、神経絞扼および上腕神経叢裂離、背下部疼痛、坐骨神経痛および強直性脊椎炎、反射性交感神経性ジストロフィーおよび他の慢性神経傷害に関連する神経障害性疼痛；複合性局所疼痛症候群；中枢神経系疼痛、例えば脊髄または脳幹損傷、または卒中による疼痛；痛風；瘢痕疼痛；しばしば癌性疼痛と呼ばれる、癌腫と関連する疼痛；喘息、アルミニウム肺症、炭粉沈着症、炎症性気道疾患、例えば慢性閉塞性肺疾患；慢性気管支炎、石綿肺症、石肺症、ダチョウ塵肺症、鉄沈着症、珪肺症、タバコ症、綿肺症を含む呼吸器疾患；アレルギー性鼻炎、例えば季節性および通年性鼻炎、および非アレルギー性鼻炎を含む鼻炎；特発性の、または、ＣＯＰＤ、喘息、嚢胞性線維症、癌、または消化器不調、例えば胃食道逆流のような呼吸器疾患と関連する、咳；自己免疫性疾患；過敏性腸症候群、クローン病、潰瘍性大腸炎、膵炎、炎症性腸疾患を含むが、これらに限定されない消化器障害；泌尿生殖器管の疾患、特に膀胱炎；膀胱排尿筋反射亢進および膀胱過敏症を含む尿失禁を含む。
【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
パッケージ製品であって、
ａ．第１の物質を格納する少なくとも１つの容器と、
ｂ．前記容器内に少なくとも部分的に配置された少なくとも１つの物質挿入体であり、該物質挿入体の少なくとも一部が、第２の物質を格納するための柔軟バリアを備え、それにより、前記パッケージ製品の外部操作時に前記柔軟バリアの完全性が失効されると、前記第１の物質が前記第２の物質と融合することが許容される、少なくとも１つの物質挿入体と、
を備える、パッケージ製品。
【請求項２】
前記第１の容器が前記第１の物質を格納するための第１の区画室を備え、前記物質挿入体が前記第２の物質を格納するための第２の区画室を備え、前記第２の区画室が前記柔軟バリアを備える、請求項１に記載のパッケージ製品。
【請求項３】
前記容器が、少なくとも第３の区画室を備え、前記第３の区画室は、所望の環境によって前記第２の区画室を取り囲むために前記第２の区画室を実質的に封入し、前記第３の区画室が、物質挿入体接合部によって前記第１の区画室から分離される、請求項２に記載のパッケージ製品。
【請求項４】
前記物質挿入体が、前記容器との機械的係合のための接合部を備える、請求項１に記載のパッケージ製品。
【請求項５】
前記機械的係合が流体密なシールを与える、請求項４に記載のパッケージ製品。
【請求項６】
流体輸送デバイスを備える、請求項１〜５のいずれか一項に記載のパッケージ製品。
【請求項７】
前記物質挿入体が、流体輸送デバイスを備える、請求項１に記載のパッケージ製品。
【請求項８】
前記物質挿入体の少なくとも一部が、前記第２の区画室の容積を減少させるように移動できる、請求項２に記載のパッケージ製品。
【請求項９】
第１の物質を格納するための容器と、該容器内に少なくとも部分的に配置された少なくとも１つの物質挿入体と、流体輸送デバイスとを備えるパッケージ製品と共に用いる方法であって、前記物質挿入体の少なくとも一部が、第２の物質を分離して格納するための柔軟バリアを備え、
ａ．前記柔軟バリアの完全性を失効させるために前記容器を外部から無菌状態で操作し、それにより、前記容器内に融合区画室を形成するステップと、
ｂ．前記第１の物質および前記第２の物質を前記融合区画室内で融合させるステップと、
ｃ．前記容器を開放して、前記融合された第１および第２の物質を前記流体輸送デバイスを介して送出するステップと、
を備える、方法。
【請求項１０】
外部操作時に、前記容器が、前記柔軟バリアの完全性を失効させて前記第１の物質および前記第２の物質が融合できるようにする前記製品挿入体の動作へ変えるように変形される、請求項９に記載の方法。
【請求項１１】
請求項１に記載の前記パッケージ製品を製造する方法であって、
ａ．選択された形態の前記容器を形成するステップと、
ｂ．前記物質挿入体を形成するステップと、
ｃ．第１の区画室と第２の区画室との間に前記柔軟バリアが介挿されるように前記物質挿入体を前記容器内へ少なくとも部分的に挿入するステップと、
を備える、方法。
【請求項１２】
前記物質挿入体が、変形可能なフレームを備える、請求項１１に記載の方法。
【請求項１３】
前記物質挿入体の接合部を、流体密なシール状態で前記容器と係合させるステップを更に備える、請求項１１に記載の方法。
【請求項１４】
前記物質挿入体の接合部は、前記容器の変形を、前記柔軟バリアを破壊して前記第１の物質および前記第２の物質が融合できるようにする動作へと変換するように、前記柔軟バリアの感受部を支持する、請求項５に記載のパッケージ製品。
【請求項１５】
前記物質挿入体が、前記柔軟バリアを支持するフレームを備える、請求項６に記載のパッケージ製品。
【請求項１６】
前記容器が、少なくとも第１の物質区画室を備え、前記物質挿入体が、少なくとも第２の物質区画室を備え、前記物質挿入体を充填するステップを備える請求項１５に記載の方法。
【誤訳訂正書】
【提出日】平成25年1月21日(2013.1.21)
【誤訳訂正１】
【訂正対象書類名】特許請求の範囲
【訂正対象項目名】全文
【訂正方法】変更
【訂正の内容】
【特許請求の範囲】
【請求項１】
工程
（ｉ）水素不含の無機イソシアネートを準備し、および
（ｉｉ）水素不含の無機イソシアネートを熱処理し、その際、この無機イソシアネートをＣＯ2分離によって炭素窒化物に変換することを含む、炭素窒化物の製造法。
【請求項２】
水素不含の炭素窒化物を製造する、請求項１記載の方法。
【請求項３】
無機イソシアネートを５００℃までの温度で熱処理する、請求項１または２記載の方法。
【請求項４】
式ＣＮx〔式中、ｘは、０．１〜１．３３である〕で示される炭素窒化物を製造する、請求項１から３までのいずれか１項に記載の方法。
【請求項５】
炭素窒化物を粉末または被覆の形で製造する、請求項１から４までのいずれか１項に記載の方法。
【請求項６】
使用された無機イソシアネートは、元素Ｃ、ＮおよびＯだけからなる、請求項１から５までのいずれか１項に記載の方法。
【請求項７】
無機イソシアネートは、実験式［Ｃ2Ｎ2Ｏ］xまたは［Ｃ3Ｎ3（ＮＣＯ）3］xに対応し、この場合ｘは、１以上である、請求項１から６までのいずれか１項に記載の方法。
【請求項８】
熱処理を閉鎖された気密の容器中で実施する、請求項１から７までのいずれか１項に記載の方法。
【請求項９】
熱処理を試料の均質化の目的のために少なくとも１回中断する、請求項１から８までのいずれか１項に記載の方法。
【請求項１０】
熱処理を触媒量の水銀の存在下で行なう、請求項１から９までのいずれか１項に記載の方法。
【請求項１１】
合成工程または清浄化工程において、水素含有成分を生じない、請求項１から１０までのいずれか１項に記載の方法。
【請求項１２】
イソシアネートを熱処理前に溶剤中に分散させる、請求項１から１１までのいずれか１項に記載の方法。
【請求項１３】
イソシアネートを極性の非プロトン性溶剤中に分散させる、請求項１２記載の方法。
【請求項１４】
イソシアネートをアセトニトリル中に分散させる、請求項１２または１３記載の方法。
【請求項１５】
請求項１から１４までのいずれか１項の記載により得られた、炭素窒化物ならびに溶媒または分散媒を含む溶液または分散液。
【請求項１６】
請求項１から１４までのいずれか１項の記載により得られた炭素窒化物。
【請求項１７】
炭素窒化物において、この炭素窒化物が水素不含であることを特徴とする、炭素窒化物。
【請求項１８】
単離された炭素窒化物が少なくとも２．０ｇ／ｃｍ3の密度を有する、請求項１６または１７記載の炭素窒化物。
【請求項１９】
単離された炭素窒化物がＩＲスペクトルにおいてＣ−Ｈ、Ｎ−ＨまたはＯ−Ｈバンドを示さない、請求項１６から１８までのいずれか１項に記載の炭素窒化物。
【請求項２０】
単離された炭素窒化物が最大５００℃まで熱安定性である、請求項１６から１９までのいずれか１項に記載の炭素窒化物。
【請求項２１】
単離された炭素窒化物がラマンスペクトルにおいて遊離炭素のバンドを示さない、請求項１６から２０までのいずれか１項に記載の炭素窒化物。
【請求項２２】
硬質物質を合成するための出発物質としての、請求項１６から２１までのいずれか１項に記載の炭素窒化物の使用。
【請求項２３】
触媒および／または触媒担持材料としての、請求項１６から２１までのいずれか１項に記載の炭素窒化物の使用。
【請求項２４】
減摩層としての、請求項１６から２１までのいずれか１項に記載の炭素窒化物の使用。
【請求項２５】
磁性機能要素のための腐蝕に抗する、および／または接触により引き起こされた損傷に抗する保護被膜としての、請求項１６から２１までのいずれか１項に記載の炭素窒化物の使用。
【請求項２６】
被覆のための、請求項１５記載の炭素窒化物を含有する溶液または分散液の使用。
【請求項２７】
ガラス、セラミックまたは金属からなる支持体を被覆する、請求項２６記載の使用。
【請求項２８】
被覆を浸漬プロセス、噴霧プロセスまたはスピンコートプロセスにより施与する、請求項２６または２７記載の使用。
【請求項２９】
被覆をブラシ掛けプロセスまたは刷毛塗りプロセスにより施与する、請求項２６から２８までのいずれか１項に記載の使用。
【請求項３０】
被覆を予め乾燥し、溶剤を除去する、請求項２６から２９までのいずれか１項に記載の使用。
【請求項３１】
被覆工程を繰り返す、請求項２６から３０までのいずれか１項に記載の使用。
【請求項３２】
被覆を保護ガスの下で最大５００℃の温度になるまで熱的に圧縮する、請求項２６から３１までのいずれか１項に記載の使用。
【請求項３３】
Ｃ3Ｎ4を基礎とする被覆を得る、請求項２６から３２までのいずれか１項に記載の使用。
【請求項３４】
請求項１から１４までのいずれか１項の記載または請求項２６から３３までのいずれか１項の記載による手段によって得られた炭素窒化物被覆。
【誤訳訂正２】
【訂正対象書類名】明細書
【訂正対象項目名】００３７
【訂正方法】変更
【訂正の内容】
【００３７】
被覆は、公知方法によって、例えば選択的に噴霧、浸漬またはスピンコートによって支持体上に施与されうる。また、刷毛塗りまたはブラシ掛けが可能である。適当な支持体は、例えばガラスおよびセラミックならびに金属である。
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
ガス流に含まれるアンモニアを回収するためのプロセスであって、以下の工程：
（ａ）アンモニアを含有するガス流を、７．０未満のｐＨを有する水性洗浄液による洗浄に供し、精製されたガス流と、アンモニウム塩を含有する水溶液とが生成される工程と、
（ｂ）工程（ａ）に由来するアンモニウム塩を含有する水溶液を、疎水性微孔性膜を使用した温度５０〜２５０℃及び圧力５０ＫＰａ〜４ＭＰａ（絶対圧）での蒸留プロセスに供し、再生された洗浄液と、ＮＨ3及びＨ2Ｏを含むガス流とが生成される工程と、
（ｃ）前記再生された洗浄液を工程（ａ）に再循環させる工程と
を含むプロセス。
【請求項２】
工程（ａ）が、ｐＨ５〜６．５で行われることを特徴とする、請求項１に記載のプロセス。
【請求項３】
工程（ａ）に供給されるガス流が、尿素の合成プロセス、好ましくは固化セクション、より一層好ましくは尿素の顆粒化又はプリル化セクションに由来するガス状パージ流であることを特徴とする、請求項１又は２に記載のプロセス。
【請求項４】
前記ガス状パージ流が、アンモニア（約５０÷２５０ｍｇ／Ｎｍ3空気）、尿素（約３０÷２００ｍｇ／Ｎｍ3空気）及び微量のホルムアルデヒドによって汚染された空気から成ることを特徴とする、請求項３に記載のプロセス。
【請求項５】
工程（ａ）において使用される水性洗浄液が、フタル酸、シュウ酸、リン酸、クエン酸、アリール−及びアルキル−ホスホン酸由来の共役酸塩基対から成る緩衝液であることを特徴とする、請求項１〜４のいずれか１項に記載のプロセス。
【請求項６】
前記緩衝液が、ｐＨ５〜６．５、及び０．５Ｍ〜５Ｍ、好ましくは１Ｍ〜４Ｍの共役酸塩基対の全体モル濃度を有する、請求項５に記載のプロセス。
【請求項７】
工程（ａ）に供給されるガス流が尿素を含有しない場合、工程（ｂ）が、１００〜１４０℃の温度及び大気圧〜０．２ＭＰａ（絶対圧）の圧力で行われることを特徴とする、請求項１〜６のいずれか１項に記載のプロセス。
【請求項８】
工程（ａ）に供給されるガス流が尿素も含有する場合、工程（ｂ）が、温度１００〜２００℃、好ましくは１３０〜１８０℃、及び大気圧〜２ＭＰａ（絶対圧）、好ましくは０．１５〜１．５ＭＰａ（絶対圧）の圧力で行われることを特徴とする、請求項１〜６のいずれか１項に記載のプロセス。
【請求項９】
工程（ｂ）で生成されるＮＨ3及びＨ2Ｏを含む前記ガス流が、尿素の合成プロセス又はアンモニアの合成プロセスに再循環されることを特徴とする、請求項１〜８のいずれか１項に記載のプロセス。
【請求項１０】
工程（ｂ）が、電磁波、好ましくはマイクロ波による工程（ｂ）への熱の供給によって行われることを特徴とする、請求項１〜９のいずれか１項に記載のプロセス。
【請求項１１】
請求項１に記載のプロセスを行うための装置であって、
洗浄ユニット（スクラバ）であって、その中でアンモニアを含有するガス流を水性洗浄液と接触させる洗浄ユニット（スクラバ）と、
アンモニウム塩の水流を疎水性微孔性膜を使用して蒸留し、アンモニア及びＨ2Ｏを含むガス流と再生された洗浄液とを生成するためのユニットであって、前記洗浄ユニットに接続されており、前記洗浄ユニットからアンモニウム塩の水流を受け取るユニットと
を備えることを特徴とする、装置。
【請求項１２】
マイクロ波発生装置から成る膜蒸留ユニットの加熱手段をまた備える、請求項１１に記載の装置。
【手続補正２】
【補正対象書類名】明細書
【補正対象項目名】００３５
【補正方法】変更
【補正の内容】
【００３５】
従って、本発明の目的は、ガス流に含まれるアンモニアを回収するためのプロセスに関し、このプロセスは以下の工程：
（ａ）アンモニアを含有するガス流を、７．０未満のｐＨを有する水性洗浄液による洗浄に供し、精製されたガス流とアンモニウム塩を含有する水溶液とが生成される工程と、
（ｂ）工程（ａ）に由来するアンモニウム塩を含有する水溶液を、疎水性微孔性膜を使用した温度５０〜２５０℃及び圧力５０ＫＰａ〜４ＭＰａ（絶対圧）での蒸留プロセスに供し、再生された洗浄液と、ＮＨ3及びＨ2Ｏを含むガス流とが生成される工程と、
（ｃ）前記再生された洗浄液を工程（ａ）に再循環させる工程と
を含む。
【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
二酸化チタン−多層カーボンナノチューブ（ＴｉＯ2−ＭＷＣＮＴ）ナノコンポジットの調製のための水熱方法であって、以下の工程、
（ａ）水中でチタン化合物前駆体を加水分解する工程、
（ｂ）工程（ａ）の加水分解された前駆体をＭＷＣＮＴと共に音波破砕する工程、
（ｃ）工程（ｂ）の生成物を、Ｈ2ＳＯ4と共にオートクレーブ容器に移動し、１５０〜２００℃で１２〜２４時間にわたって維持する工程、
（ｄ）工程（ｃ）の生成物を水で洗浄する工程、そして
（ｅ）工程（ｄ）の生成物を、防塵環境において約５０〜６０℃で乾燥させることによってＴｉＯ2−ＣＮＴナノコンポジットを得る工程、
を含むことを特徴とする水熱方法。
【請求項２】
前記チタン前駆体／化合物が、室温で加水分解可能である、請求項１に記載の水熱方法。
【請求項３】
前記室温が２０〜３０℃である、請求項２に記載の水熱方法。
【請求項４】
前記チタン前駆体／化合物が、チタニウムイソプロポキシド又は塩化チタンである、請求項２に記載の水熱方法。
【請求項５】
請求項１に記載の方法によって調製される二酸化チタン−多層カーボンナノチューブ（ＴｉＯ2−ＭＷＣＮＴ）ナノコンポジットであって、ＴｉＯ2に対して使用されるＣＮＴの質量％が０．０１〜０．５質量％の範囲であることを特徴とするナノコンポジット。
【請求項６】
請求項１に記載の方法によって調製される二酸化チタン−多層カーボンナノチューブ（ＴｉＯ2−ＭＷＣＮＴ）ナノコンポジットであって、ナノコンポジットフィルムの厚さが１〜１５ミクロンであることを特徴とするナノコンポジット。
【請求項７】
請求項５又は６に記載の二酸化チタン−多層カーボンナノチューブ（ＴｉＯ2−ＭＷＣＮＴ）ナノコンポジットを使用して太陽電池を調製する方法であって、以下の工程、
Ｉ．  調製するＴｉＯ2−ＣＮＴナノコンポジットのフィルムの厚さを調節するために、フッ素ドープ酸化スズ導電性加水分解ガラス基板を厚さ０．５ミクロンのスコッチテープで覆う工程、
ＩＩ．  請求項１の工程（ｅ）で得られたＴｉＯ2−ＣＮＴナノコンポジットの２００マイクロリットルの液滴をフッ素ドープ酸化スズ導電性加水分解ガラス基板上に置き、フィルムをドクターブレーディング方法で形成する工程、
ＩＩＩ．  工程ＩＩで得られたフィルムを４５０℃の温度で１時間にわたって熱処理する工程、
ＩＶ．  工程ＩＩＩで得られたＴｉＯ2−ＣＮＴナノコンポジットフィルムを標準ルテニウム系Ｎ３色素で増感することによって色素増感ＴｉＯ2−ＣＮＴナノコンポジットフィルムを得る工程、
Ｖ．  工程ＩＶで得られた色素増感ＴｉＯ2−ＣＮＴナノコンポジットフィルムを使用して電極を調製する工程、
ＶＩ．  工程Ｖで得られた電極、対電極及び液体電解質を使用して色素増感ＴｉＯ2−ＣＮＴナノコンポジット太陽電池を調製する工程、
を含むことを特徴とする方法。
【請求項８】
工程ＶＩで使用される前記対電極が、プラチナ被覆ＦＴＯ（Ｐｔ−ＦＴＯ）基板である、請求項７に記載の方法。
【請求項９】
前記液体電解質が、アセトニトリル中の０．１Ｍのヨウ化リチウム、０．０５Ｍのヨウ素から成る、請求項７に記載の方法。
【請求項１０】
太陽電池の改善された効率が、５〜１５％である、請求項７に記載の方法。
【請求項１１】
太陽電池の効率を５％より高いところまで改善するための、請求項７〜１０のいずれかに記載の方法の使用。
【手続補正２】
【補正対象書類名】明細書
【補正対象項目名】０００９
【補正方法】変更
【補正の内容】
【０００９】
したがって、本発明は、二酸化チタン−多層カーボンナノチューブ（ＴｉＯ2−ＭＷＣＮＴ）ナノコンポジットの調製のための水熱プロセスを提供し、このプロセスは、
（ａ）水中でチタン化合物前駆体を加水分解する工程、
（ｂ）工程（ａ）の加水分解された前駆体をＭＷＣＮＴと共に音波破砕する（sonicate）工程、
（ｃ）工程（ｂ）の生成物を、Ｈ2ＳＯ4と共にオートクレーブ容器に移動し、１５０〜２００℃で１２〜２４時間にわたって維持する工程、
（ｄ）工程（ｃ）の生成物を水で洗浄する工程、そして
（ｅ）工程（ｄ）の生成物を、防塵環境において約５０〜６０℃で乾燥させることによってＴｉＯ2−ＣＮＴナノコンポジットを得る工程、
を含む。
【手続補正３】
【補正対象書類名】明細書
【補正対象項目名】００１３
【補正方法】変更
【補正の内容】
【００１３】
更に別の実施形態において、本発明は、二酸化チタン−多層カーボンナノチューブ（ＴｉＯ2−ＭＷＣＮＴ）ナノコンポジットを使用して太陽電池を調製するプロセスを提供し、このプロセスは、
（Ｉ）調製するＴｉＯ2−ＣＮＴナノコンポジットのフィルムの厚さを調節するために、フッ素ドープ酸化スズ導電性加水分解ガラス基板を厚さ０．５ミクロンのスコッチテープで覆う工程、
（ＩＩ）請求項１の工程（ｅ）で得られたＴｉＯ2−ＣＮＴナノコンポジットの２００マイクロリットルの液滴をフッ素ドープ酸化スズ導電性加水分解ガラス基板上に置き、フィルムをドクターブレーディング（doctor-blading）方法で形成する工程、
（ＩＩＩ）工程ＩＩで得られたフィルムを４５０℃の温度で１時間にわたって熱処理する工程、
（ＩＶ）工程ＩＩＩで得られたＴｉＯ2−ＣＮＴナノコンポジットフィルムを標準ルテニウム系Ｎ３色素(N3-dye)で増感することによって色素増感ＴｉＯ2−ＣＮＴナノコンポジットフィルムを得る工程、
（Ｖ）工程ＩＶで得られた色素増感ＴｉＯ2−ＣＮＴナノコンポジットフィルムを使用して電極を調製する工程、
（ＶＩ）工程Ｖで得られた電極、対電極及び液体電解質を使用して色素増感ＴｉＯ2−ＣＮＴナノコンポジット太陽電池を調製する工程、
を含む。
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
結腸のL細胞から消化管ホルモンを放出することを誘発する組成物であって、該組成物が、ブタン酸、胆汁酸、長鎖脂肪酸及びグルタミンからなる群から選択される化合物を含み、胃又は上部消化管においては放出されないように製剤化された組成物。
【請求項２】
該組成物が結腸標的薬物送達システムとして製剤化された請求項１に記載の組成物。
【請求項３】
直腸投与用に製剤化された請求項１に記載の組成物。 
【請求項４】
グルタミンを含む請求項１に記載の組成物。
【請求項５】
ブタン酸を含む請求項１に記載の組成物。
【請求項６】
結腸標的送達システムが、マトリックス送達システムにおけるマトリックスである請求項２に記載の組成物。
【請求項７】
該結腸標的送達システムが、親油性の相及び両親媒性の相を含む、親水性の第一のマトリックスである放出制御製剤であり、該親油性の相及び両親媒性の相が、一緒に第二のマトリックスに含まれ、該第二のマトリックスが第一のマトリックス中に分散され、該組成物が少なくとも部分的に両親媒性の相に組み込まれている、請求項６に記載の方法。
【手続補正２】
【補正対象書類名】明細書
【補正対象項目名】００４４
【補正方法】変更
【補正の内容】
【００４４】
本発明の化合物又はそれらの塩は、標的薬物送達システムにより投与される。ある態様としては、結腸への標的薬物送達のために送達システムが用いられる。そのような薬物送達システムは、共有結合型組成物、ポリマーコート組成物、マトリックス埋込型組成物、時間放出組成物、酸化還元に感応する組成物、生物接着性組成物、ミクロ粒子コーティング組成物及び浸透圧送達組成物がある。適切な組成物には、ポリ多糖、例えばキトサン、ペクチン、コンドロイチン、コンドロイチン硫酸、シクロデキストリン（cyclodexthn）、デキストラン、グアーガム、インスリン、アミロース及びローカストビーンガムがある。また化合物は、可溶性ポリマーと結合していてもよい。そのようなポリマーには、ポリビニルピロリドン(PVP)、ピランコポリマー、ポリヒドロキシプロピルメタクリルアミド-フェノール、ポリヒドロキシエチル-アスパルタミドフェノール、残基により置換されたパルミトイルポリエチレンオキシドポリリジンがある。さらに、化合物は、生物分解性ポリマーに分類される；例えば、ポリ乳酸、ポリイプシロンカプロラクトン、ポリヒドロキシブタン酸、ポリオルトエステル、ポリアセタール、ポリジヒドロピラン、ポリシアノアクリル酸、及び架橋又は両親媒性ブロックコポリマーのヒドロゲルがある。本発明のこれらの粒子の有効性は、マルチマトリックス送達システムの態様を含む。本発明において特に有効なものは、親油性の相及び両親媒性の相を含む親水性第一マトリックス製剤を含むマトリクスシステム中の標的マトリックスであり、親油性の相及び両親媒性の相が、第二のマトリックスに一緒にあり、該第二のマトリックスが親水性の第一マトリックス中に分散し、該化合物を含む医薬組成物が少なくとも部分的に両親媒性の相に組み込まれている。マトリックス中のマトリックス製剤の例は米国特許出願第7,431,943号に開示されている。これらの分野における通常の熟練は、本発明の化合物の標的送達の目的のために、そのような組成物を用いることができることを容易に理解するであろう。そのような組成物の標的送達のための製剤の製造方法は、この開示を考慮すれば、当該分野における熟練の範囲内にある。
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
生体分子を単離する方法であって、
（ａ）前記生体分子を含む水性試料を用意する段階、
（ｂ）水性試料を塩の存在下で負荷電ポリマーと混合する段階であって、前記ポリマーが生体分子と選択的に複合体化して凝集することで生体分子を含む沈殿の混合物を形成するような条件下で実施される段階、
（ｃ）水性液体から生体分子沈殿を分離する段階、及び
（ｄ）生体分子を再懸濁緩衝液中に再懸濁する段階
を含んでなる方法。
【請求項２】
前記生体分子がホルモン又はポリクローナル抗体又はモノクローナル抗体又は抗体から導かれるタンパク質を含むタンパク質である、請求項１記載の方法。
【請求項３】
前記負荷電ポリマーが、５ｋＤを超える分子量及び３％（ｗ／ｖ）を超える濃度を有するポリアクリル酸（ＰＡＡ）である、請求項１記載の方法。
【請求項４】
前記ポリマーがカルボキシメチルデキストラン（ＣＭＤ）又は他のカルボキシ修飾ポリマー或いは他のポリ酸ポリマー又は他の生物分解性ポリ酸ポリマーである、請求項１乃至請求項３のいずれか１項記載の方法。
【請求項５】
前記塩がリン酸Ｎａ、ＮａＣｌ、クエン酸Ｎａ及び硫酸Ｎａから選択される、請求項１乃至請求項４のいずれか１項記載の方法。
【請求項６】
前記塩の濃度が５０ｍＭを超える、請求項５記載の方法。
【請求項７】
段階（ｂ）における混合物のｐＨが５〜９の範囲内にある、請求項１乃至請求項６のいずれか１項記載の方法。
【請求項８】
前記水性試料が、原核細胞又は真核細胞発現系からの清澄化発酵生成物、ウイルス培養系、全血、清澄化血液、組換えミルク、組換え植物溶液、及び興味の対象の生体分子を含むその他任意の水性試料からなる群から選択される、請求項１乃至請求項７のいずれか１項記載の方法。
【請求項９】
前記分離が、前記混合物を遠心分離して沈殿及び水性液体を得て、該水性液体を沈殿から除去すること、或いは前記混合物を濾過して複合体を水性流体から単離することを含む、請求項１乃至請求項８のいずれか１項記載の方法。
【請求項１０】
前記沈殿した生体分子が、ｐＨ３〜９の水性緩衝液又は水中に再懸濁される、請求項１乃至請求項９のいずれか１項記載の方法。
【請求項１１】
沈殿中の残留ＰＡＡ又は他のポリ酸が、段階（ｄ）後にスカベンジングによって除去される、請求項３又は請求項４記載の方法。
【請求項１２】
沈殿中の残留ＰＡＡ又は他のポリ酸が、段階（ｄ）後に水性多相システムによって除去される、請求項３又は請求項４記載の方法。
【請求項１３】
沈殿中の残留ＰＡＡ又は他のポリ酸が、段階（ｄ）後に、前記生体分子を顕著に吸着するがＰＡＡ又は他のポリ酸は吸着しないクロマトグラフィー媒体又は濾過媒体又は他の（モノリシック）捕捉媒体を通してそれを流すことによって除去される、請求項３又は請求項４記載の方法。
【請求項１４】
沈殿中の残留ＰＡＡ又は他のポリ酸が、段階（ｄ）後に、ＰＡＡ又は他のポリ酸が前記生体分子と異なる流速又は妨害度を有するクロマトグラフィー媒体又は濾過媒体又は他の（モノリシック）サイズ排除媒体を通してそれを流すことによって除去される、請求項３又は請求項４記載の方法。
【請求項１５】
さらに１以上の追加精製段階を含み、これが追加の水性相分配段階又は沈殿段階を含み得る、請求項１乃至請求項１４のいずれか１項記載の方法。
【請求項１６】
追加の精製段階が、多モード陽イオン交換体を用いるクロマトグラフィー、プロテインＡ親和性カラム、疎水性相互作用カラム及び陽イオン交換を含む、請求項２１記載の方法。
【請求項１７】
請求項１乃至請求項１６のいずれか１項記載の方法によって製造された生体分子含有溶液を低希釈度で精製するための、高導電率溶液と共に使用するように設計されたＣａｐｔｏ ＭＭＣ及び関連捕捉媒体の使用。
【請求項１８】
一定期間（例えば、数日、数週間、数ヶ月又は数年）にわたって貯蔵するための安定化形態でバイオ医薬品を単離するための、請求項１乃至請求項１６のいずれか１項記載の方法の使用。
【請求項１９】
バイオ医薬品をポリマー付形剤（例えば、ＣＭ−デキストランのような生物分解性ポリ酸）又は他の付形剤と共に一定の濃度又は不溶状態にするための製剤化段階における、請求項１乃至請求項のいずれか１項記載の方法の使用。
【請求項２０】
ポリマー付形剤又は他の付形剤が製剤に補助性能を与える、請求項１９記載の使用。
【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
ＩＬ−２２を含む、対象における多臓器不全症候群を予防および／または処置するための医薬組成物。
【請求項２】
ＩＬ−２２が、多臓器不全症候群を患う対象において、血清総タンパク質を増加させる、請求項１に記載の医薬組成物。
【請求項３】
ＩＬ−２２が、多臓器不全症候群を患う対象において、血清アルブミンを増加させる、請求項１に記載の医薬組成物。
【請求項４】
ＩＬ−２２が哺乳動物のＩＬ−２２である、請求項１に記載の医薬組成物。
【請求項５】
ＩＬ−２２が、組み換え型の哺乳動物のＩＬ−２２である、請求項１に記載の医薬組成物。
【請求項６】
ＩＬ−２２の薬学的有効量が、１日につき対象キログラムあたり１００〜１０００マイクログラムの範囲である、請求項１に記載の医薬組成物。
【請求項７】
ＩＬ−２２を含む、対象における全身性炎症反応症候群を予防および／または処置するための医薬組成物。
【請求項８】
ＩＬ−２２が対象における生存率を増加させる、請求項７に記載の医薬組成物。
【請求項９】
ＩＬ−２２が哺乳動物のＩＬ−２２である、請求項７に記載の医薬組成物。
【請求項１０】
ＩＬ−２２が、組み換え型の哺乳動物のＩＬ−２２である、請求項７に記載の医薬組成物。
【請求項１１】
ＩＬ−２２の薬学的有効量が、１日につき対象キログラムあたり１００〜５００マイクログラムの範囲である、請求項７に記載の医薬組成物。
【請求項１２】
ＩＬ−２２を含む、対象における肝不全を予防および／または処置するための医薬組成物。
【請求項１３】
ＩＬ−２２が、対象における血清のＡＳＴおよびＡＬＴのレベルを低下させる、請求項１２に記載の医薬組成物。
【請求項１４】
ＩＬ−２２が哺乳動物のＩＬ−２２である、請求項１２に記載の医薬組成物。
【請求項１５】
ＩＬ−２２が、組み換え型の哺乳動物のＩＬ−２２である、請求項１２に記載の医薬組成物。
【請求項１６】
ＩＬ−２２の薬学的有効量が、１日につき対象キログラムあたり１００〜３００マイクログラムの範囲である、請求項１２に記載の医薬組成物。
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
１種以上の免疫グロブリン含有タンパク質を液体から分離する方法であって、
（ａ）該液体を、担体に固定化されたリガンドを含む分離マトリックスに接触させる段階、
（ｂ）前記免疫グロブリン含有タンパク質をリガンドとの相互作用によってマトリックスに吸着させる段階、
（ｃ）吸着した免疫グロブリン含有タンパク質を洗浄する任意段階、及び
（ｄ）タンパク質を遊離させる溶離剤にマトリックスを接触させることで前記免疫グロブリン含有タンパク質を回収する段階
を含んでなる方法において、前記リガンドの各々がブドウ球菌プロテインＡ（ＳｐＡ）のドメインＢ又はプロテインＺの単量体もしくは二量体或いはその機能的変異体から本質的になることを改良点とする方法。
【請求項２】
前記リガンドが、１以上のアスパラギン残基をグルタミン以外のアミノ酸に変異させることでアルカリ安定性を有する、請求項１記載の方法。
【請求項３】
前記リガンドが免疫グロブリンのＦｃ部分に対して親和性を有するが、免疫グロブリンのＦａｂ部分に対する親和性を欠いている、請求項２記載の方法。
【請求項４】
前記リガンドの１以上のグリシンがアラニンで置換されている、請求項３記載の方法。
【請求項５】
２９位のグリシン残基がアラニンで変えられている、請求項３記載の方法。
【請求項６】
前記リガンドがプロテインＺであり、そのアルカリ安定性が１以上のアスパラギン残基をグルタミン以外のアミノ酸に変異させることで達成されている、請求項１記載の方法。
【請求項７】
プロテインＺのアルカリ安定性が、少なくとも２３位のアスパラギン残基をグルタミン以外のアミノ酸に変異させることで達成されている、請求項６記載の方法。
【請求項８】
前記リガンドの各々がブドウ球菌プロテインＡ（ＳｐＡ）のドメインＢ又はプロテインＺの単量体或いはその機能的変異体から本質的になり、免疫グロブリン含有タンパク質の回収が、４．０〜４．４のｐＨを有する溶離剤を添加することで達成される、請求項１記載の方法。
【請求項９】
前記リガンドの各々がブドウ球菌プロテインＡ（ＳｐＡ）のドメインＢ又はプロテインＺの単量体或いはその機能的変異体から本質的になり、８０％以上、例えば９０％以上、好ましくは９５％以上の免疫グロブリン含有タンパク質が、４．０〜４．４のｐＨを有する溶離剤を用いて回収される、請求項１記載の方法。
【請求項１０】
前記免疫グロブリン含有タンパク質がモノクローナル抗体又はポリクローナル抗体である、請求項１記載の方法。
【請求項１１】
前記免疫グロブリン含有タンパク質が別のタンパク質と融合した免疫グロブリンを含む融合タンパク質である、請求項１記載の方法。
【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
神経成長因子２／ニューロトロフィン−３を中和し、神経成長因子と交差反応しない、神経成長因子２／ニューロトロフィン−３またはその部分ペプチドあるいはその塩に対する抗体を含有してなる、腎臓癌の予防または治療剤。
【請求項２】
神経成長因子２／ニューロトロフィン−３を中和し、神経成長因子と交差反応しない、神経成長因子２／ニューロトロフィン−３またはその部分ペプチドあるいはその塩に対する抗体を含有してなる、膀胱癌の予防または治療剤。
【請求項３】
抗体がハイブリドーマ３Ｗ３細胞株（ＦＥＲＭ ＢＰ−３９３２）から産生されうるモ
ノクローナル抗体である、請求項１または２記載の剤。
【請求項４】
神経成長因子２／ニューロトロフィン−３がヒト神経成長因子２／ニューロトロフィン−３である、請求項１または２記載の剤。
【請求項５】
抗体がヒト化抗体もしくはヒト抗体である、請求項１または２記載の剤。
【請求項６】
抗体がヒト−非ヒトキメラ抗体である、請求項１または２記載の剤。
【請求項７】
神経成長因子２／ニューロトロフィン−３を中和し、神経成長因子と交差反応しない、神経成長因子２／ニューロトロフィン−３またはその部分ペプチドあるいはその塩に対する抗体を含有してなる、腎臓癌の診断剤。
【請求項８】
神経成長因子２／ニューロトロフィン−３を中和し、神経成長因子と交差反応しない、神経成長因子２／ニューロトロフィン−３またはその部分ペプチドあるいはその塩に対する抗体を含有してなる、膀胱癌の診断剤。
【請求項９】
神経成長因子２／ニューロトロフィン−３を中和し、神経成長因子と交差反応しない、神経成長因子２／ニューロトロフィン−３またはその部分ペプチドあるいはその塩に対する抗体を用いて、被検哺乳動物から採取された生体試料中の神経成長因子２／ニューロトロフィン−３を測定することを含む、腎臓癌の検出方法。
【請求項１０】
神経成長因子２／ニューロトロフィン−３を中和し、神経成長因子と交差反応しない、神経成長因子２／ニューロトロフィン−３またはその部分ペプチドあるいはその塩に対する抗体を用いて、被検哺乳動物から採取された生体試料中の神経成長因子２／ニューロトロフィン−３を測定することを含む、膀胱癌の検出方法。
【請求項１１】
腎臓癌の予防または治療剤を製造するための、神経成長因子２／ニューロトロフィン−３を中和し、神経成長因子と交差反応しない、神経成長因子２／ニューロトロフィン−３またはその部分ペプチドあるいはその塩に対する抗体の使用。
【請求項１２】
膀胱癌の予防または治療剤を製造するための、神経成長因子２／ニューロトロフィン−３を中和し、神経成長因子と交差反応しない、神経成長因子２／ニューロトロフィン−３またはその部分ペプチドあるいはその塩に対する抗体の使用。
【請求項１３】
腎臓癌の診断剤を製造するための、神経成長因子２／ニューロトロフィン−３を中和し、神経成長因子と交差反応しない、神経成長因子２／ニューロトロフィン−３またはその部分ペプチドあるいはその塩に対する抗体の使用。
【請求項１４】
膀胱癌の診断剤を製造するための、神経成長因子２／ニューロトロフィン−３を中和し、神経成長因子と交差反応しない、神経成長因子２／ニューロトロフィン−３またはその部分ペプチドあるいはその塩に対する抗体の使用。
【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
BIBF1120または医薬的に許容されるその塩、及びBIBW2992または医薬的に許容されるその塩を含む、大腸がん治療用医薬キットであって、BIBF1120または医薬的に許容されるその塩は継続的毎日投与投薬管理に従い、かつBIBW2992または医薬的に許容されるその塩は週単位の断続的投与投薬管理に従って、治療を必要とする患者へ投与される、前記大腸がん治療用医薬キット。
【請求項２】
BIBF1120または医薬的に許容されるその塩の有効量、及びBIBW2992または医薬的に許容されるその塩の有効量と、両有効成分を大腸がんを罹患する患者へ同時投与する指示書とを含む医薬キットであって、前記指示書に従い、BIBF1120または医薬的に許容されるその塩は継続的毎日投与投薬管理に従い、かつBIBW2992または医薬的に許容されるその塩は週単位の断続的投与投薬管理に従って患者へ投与される、前記医薬キット。
【請求項３】
BIBF1120または医薬的に許容されるその塩の有効量を含む第一の区画、及びBIBW2992または医薬的に許容されるその塩の有効量を含む第二の区画と、大腸がんを罹患する患者へ両有効成分を同時投与する指示書とを含む医薬キットであって、前記指示書に従い、BIBF1120または医薬的に許容されるその塩は継続的毎日投与投薬管理に従い投与し、BIBW2992または医薬的に許容されるその塩は週単位の断続的投与投薬管理に従って患者へ投与される、前記医薬キット。
【請求項４】
BIBW2992または医薬的に許容されるその塩と共に大腸がんを罹患する患者へ同時投与するための化合物BIBF1120または医薬的に許容されるその塩であって、BIBF1120または医薬的に許容されるその塩は継続的毎日投与投薬管理に従い、BIBW2992または医薬的に許容されるその塩は週単位の断続的投与投薬管理に従い患者へ投与されることを特徴とする、前記化合物BIBF1120または医薬的に許容されるその塩。
【請求項５】
BIBF1120または医薬的に許容されるその塩の有効量、及びBIBW2992または医薬的に許容されるその塩の有効量と、大腸がんを罹患する患者への両有効成分を同時投与する指示書とを含む医薬キットの調製のための、BIBF1120または医薬的に許容されるその塩の使用であって、前記指示書に従い、BIBF1120または医薬的に許容されるその塩は継続的毎日投与投薬管理に従い、BIBW2992または医薬的に許容されるその塩は週単位の断続的投与投薬管理に従い患者へ投与される、前記使用。
【請求項６】
BIBF1120または医薬的に許容されるその塩の有効量を含む第一の区画、及びBIBW2992または医薬的に許容されるその塩の有効量を含む第二の区画と、大腸がんを罹患する患者へ両有効成分を同時投与する指示書とを含む医薬キットの調製のための、BIBF1120または医薬的に許容されるその塩の使用であって、前記指示書に従い、BIBF1120または医薬的に許容されるその塩は継続的毎日投与投薬管理に従い、BIBW2992または医薬的に許容されるその塩は週単位の断続的投与投薬管理に従い患者へ投与する、前記使用。
【手続補正書】
【提出日】平成25年1月11日(2013.1.11)
【手続補正１】
【補正対象書類名】特許請求の範囲
【補正対象項目名】全文
【補正方法】変更
【補正の内容】
【特許請求の範囲】
【請求項１】
デオキシアクタガルジンB（7-アミノ-1-へプチルアミド モノカルボキサミド）
、ならびにその薬学的に許容される塩、水和物、および溶媒和物。
【請求項２】
請求項1記載の化合物と、薬学的に許容される賦形剤とを含む、薬学的組成物。
【請求項３】
経口投与または非経口投与のための、請求項2記載の組成物。
【請求項４】
処置における使用のための、請求項1記載の化合物、または請求項2もしくは3記載の組成物。
【請求項５】
微生物感染の処置における使用のための、請求項1記載の化合物、または請求項2もしくは3記載の組成物。
【請求項６】
微生物感染がC. ディフィシレ（C. difficile）感染である、請求項5記載の化合物または組成物。
【請求項７】
C. ディフィシレ感染が結腸および／または下部腸管においてである、請求項6記載の化合物または組成物。
【請求項８】
微生物感染が小腸細菌異常増殖である、請求項5記載の化合物または組成物。
【請求項９】
潰瘍性大腸炎または過敏性腸症候群の処置における使用のための、請求項1記載の化合物、または請求項2もしくは3記載の組成物。
【請求項１０】
請求項1記載のデオキシアクタガルジンB（7-アミノ-1-へプチルアミド モノカルボキサミド）を調製する方法であって、ジメチルホルムアミド(DMF)中、ジイソプロピルエチルアミンおよびベンゾトリアゾール-1-イル-オキシ-トリス-ピロリジノ-ホスホニウムヘキサフルオロホスフェート（PyBOP）の存在下で、デオキシアクタガルジンBと1,7-ジアミノヘプタンを反応させる工程を含む、方法。
【請求項１１】
デオキシアクタガルジンBが、A. リグリアエ（Actinoplanes liguriae）において合成される、請求項10記載の方法。
【手続補正２】
【補正対象書類名】明細書
【補正対象項目名】００１４
【補正方法】変更
【補正の内容】
【００１４】
溶解性、安定性などのような本開示の化合物の物理特性は、意図された治療的使用に適している。
[本発明1001]
式（I）の化合物、ならびにその薬学的に許容される塩、水和物、および溶媒和物：
2012515195.tif 000001
式中、
Aは-C1-4アルキルであり；
Bは-C1-4アルキルであり；
Xは-NH(CH2)pNH2であり；
pは整数2〜12であり；
Zは-NR1R2であり；
R1はHまたはC1-4アルキルであり；
R2はH、アミノ酸、またはC1-4アルキルである。
[本発明1002]
Aが-CH(CH3)2および-CH2CH(CH3)2より選択される、本発明1001の化合物。
[本発明1003]
Aが-CH2CH(CH3)2である、本発明1002の化合物。
[本発明1004]
Bが-CH(CH3)2および-CH(CH3)CH2CH3より選択される、本発明1001〜1003のいずれかの化合物。
[本発明1005]
Bが-CH(CH3)2である、本発明1004の化合物。
[本発明1006]
R2が-C(O)CH(CH3)NH2のLまたはD異性体である、本発明1001〜1005のいずれかの化合物。
[本発明1007]
Aが-CH2CH(CH3)2であり、およびBが-CH(CH3)2である、本発明1001〜1005のいずれかの化合物。
[本発明1008]
pが、3、4、5、6、7、8、9、10、11、または12である、本発明1001〜1007のいずれかの化合物。
[本発明1009]
pが、2、3、7、9、または12である、本発明1008の化合物。
[本発明1010]
pが、7、9、または12である、本発明1009の化合物。
[本発明1011]
ZがNH2である、本発明1001〜1010のいずれかの化合物。
[本発明1012]
式（II）の本発明1001の化合物、ならびにその薬学的に許容される塩、水和物、および溶媒和物：
2012515195.tif 000002
。
[本発明1013]
本発明1001〜1012のいずれかの化合物と、薬学的に許容される賦形剤とを含む、薬学的組成物。
[本発明1014]
経口投与のための、本発明1013の組成物。
[本発明1015]
非経口投与のための、本発明1013の組成物。
[本発明1016]
処置における使用のための、本発明1001〜1012のいずれかの化合物、または本発明1013〜1015のいずれかの組成物。
[本発明1017]
微生物感染の処置における使用のための、本発明1016の化合物または組成物。
[本発明1018]
微生物感染がC. ディフィシレ（C. difficile）感染である、本発明1017の化合物または組成物。
[本発明1019]
C. ディフィシレ感染が結腸および／または下部腸管においてである、本発明1018の化合物または組成物。
[本発明1020]
C. ディフィシレなどの微生物感染の処置用の薬剤の製造のための、本発明1001〜1012のいずれかの化合物または本発明1013〜1015のいずれかの組成物の使用。
[本発明1021]
治療的に有効量の、本発明1001〜1012のいずれかの化合物、または本発明1013〜1015のいずれかの組成物を、それを必要とする患者に投与する段階を含む、処置の方法。
[本発明1022]
微生物感染の処置のための、本発明1021の方法。
[本発明1023]
微生物感染がC. ディフィシレである、本発明1021の方法。
[本発明1024]
結腸および／または下部腸管におけるC. ディフィシレ感染の処置のための、本発明1023の方法。
[本発明1025]
微生物感染が小腸細菌異常増殖である、本発明1022の方法。
[本発明1026]
潰瘍性大腸炎の処置のための、本発明1021の方法。
[本発明1027]
過敏性腸症候群の処置のための、本発明1021の方法。